(57)【特許請求の範囲】
【請求項１】
浴室と脱衣室との間の開口に設置され、枠体に対して開閉可能に配設した障子を備える浴室用建具において、
前記枠体の上枠には、長手方向に沿って走行体が移動可能に配設され、前記走行体に前記障子が吊下げ保持されており、
前記浴室の天井を構成する天井パネルと前記枠体の上枠との間には、連結部材が設けられ、
前記連結部材と前記天井パネルとの間は、前記連結部材が前記天井パネルの上面に配置され、かつ上方からネジを螺合することによって互いに連結されており、
前記連結部材と前記上枠との間は、前記上枠が前記連結部材の上面に配置され、かつ上方からネジを螺合することによって互いに連結されており、
前記連結部材と前記天井パネルとの間を連結するネジ及び前記連結部材と前記上枠との間を連結するネジは、前記天井パネルの上方空間に露出されている
ことを特徴とする浴室用建具。
【請求項２】
前記上枠は、上方上枠部及び下方上枠部を有し、これら上方上枠部及び下方上枠部の間に前記浴室と前記脱衣室との間を連通する通気通路を有したことを特徴とする請求項１に記載の浴室用建具。
【請求項３】
前記通気通路を横切るように配設した吊り束部材により前記上方上枠部と前記下方上枠部とを互いに連結したことを特徴とする請求項２に記載の浴室用建具。
【請求項４】
前記枠体は、前記上枠と下枠との間に上下方向に沿って方立枠を設けることにより、一方の縦枠と前記方立枠との間に固定面材によって閉塞される第１の開口を構成するとともに、他方の縦枠と前記方立枠との間に前記障子によって開閉される第２の開口を構成したものであり、
前記下枠には、前記第２の開口において前記障子よりも前記浴室側となる部位の上面に前記下枠の上面に連続するようにカバー面材を配設したことを特徴とする請求項１に記載の浴室用建具。
【請求項５】
前記下枠には、前記第１の開口において前記固定面材よりも前記脱衣室側となる部位の上面に、前記カバー面材に連続する補助カバー面材を配設したことを特徴とする請求項４に記載の浴室用建具。
【請求項６】
前記カバー面材の表面に多数の溝を設けたことを特徴とする請求項４に記載の浴室用建具。
【請求項７】
前記枠体の下枠において前記脱衣室側となる部位の上面に長手方向に沿って溝状の収容凹部を形成するとともに、前記下枠の上面からの突出量が変化する状態で前記収容凹部に止水材を移動可能に配設したことを特徴とする請求項１に記載の浴室用建具。
【発明の詳細な説明】
【技術分野】
【０００１】
本発明は、浴室と脱衣室との間に設けられる浴室用建具に関するものである。
【背景技術】
【０００２】
バリアフリーを考慮して上吊り式の引戸を適用する浴室用建具が既に提供されている。この種の浴室用建具では、障子の下框に戸車を設けて構成した引戸と比べた場合、下枠の上面に戸車の軌道となるトラックを突出させる必要がないため、下枠の上面を平坦化してバリアフリーに適したものとすることができる（例えば、特許文献１参照）。
【先行技術文献】
【特許文献】
【０００３】
【特許文献１】特開２０１５−５２２６３号公報
【発明の概要】
【発明が解決しようとする課題】
【０００４】
ところで、浴室用建具の上枠は、縦枠の相互間に連結されただけの構成がほとんどである。特に、浴室にユニットバスを設置したものにあっては、躯体に取り付けた額縁と、ユニットバスとの間に枠体が設けられるため、上枠の上方に躯体が存在しない場合も多い。このため、上吊り式の引戸を構成した浴室用建具にあっては、上枠のみが障子の荷重を支持することになり、使用が長期にわたる場合、上枠の中央部分が下方に湾曲し、障子の開閉に支障を来すおそれがある。
【０００５】
こうした問題は、上枠を躯体に固定すれば解決することは可能である。しかしながら、上枠を躯体に固定した場合には、上枠を上方に移動させることがことできないため、障子を上下方向に移動させることも困難となる。すなわち、上枠を躯体に固定した浴室用建具にあっては、障子を着脱する際の作業が困難となり、メインテナンス性を考慮した場合、必ずしも好ましいとはいえない。
【０００６】
本発明は、上記実情に鑑みて、メインテナンス性を損なうことなく、上枠の強度上の問題を解決することのできる浴室用建具を提供することを目的とする。
【課題を解決するための手段】
【０００７】
上記目的を達成するため、本発明に係る浴室用建具は、浴室と脱衣室との間の開口に設置され、枠体に対して開閉可能に配設した障子を備える浴室用建具において、前記枠体の上枠には、長手方向に沿って走行体が移動可能に配設され、前記走行体に前記障子が吊下げ保持されており、前記浴室の天井を構成する天井パネルと前記枠体の上枠との間には、連結部材が設けられ、前記連結部材と前記天井パネルとの間は、前記連結部材が前記天井パネルの上面に配置され、かつ上方からネジを螺合することによって互いに連結されており、前記連結部材と前記上枠との間は、前記上枠が前記連結部材の上面に配置され、かつ上方からネジを螺合することによって互いに連結されており、前記連結部材と前記天井パネルとの間を連結するネジ及び前記連結部材と前記上枠との間を連結するネジは、前記天井パネルの上方空間に露出されていることを特徴とする。
【０００８】
この発明によれば、上枠と浴室の天井パネルとの間を連結部材によって連結しているため、上枠に加えられる荷重を天井パネルで支持することが可能となる。しかも、連結部材を取り外す等、天井パネルとの間の連結状態を解除すれば、上枠を上方に移動させることが可能となり、例えば障子を取り外すことができるようになる等、メインテナンス性を向上させることができる。
【００１０】
この発明によれば、下枠の上面に障子の軌道となるトラックを突出させる必要がないため、下枠の上面を平坦化してバリアフリーに適したものとすることができる。
【００１１】
また本発明は、上述した浴室用建具において、前記上枠は、上方上枠部及び下方上枠部を有し、これら上方上枠部及び下方上枠部の間に前記浴室と前記脱衣室との間を連通する通気通路を有したことを特徴とする。
【００１２】
この発明によれば、上枠の変形を招来することなく、上枠の通気通路を通じて浴室と脱衣室との間で換気を行うことが可能となる。
【００１３】
また本発明は、上述した浴室用建具において、前記通気通路を横切るように配設した吊り束部材により前記上方上枠部と前記下方上枠部とを互いに連結したことを特徴とする。
【００１４】
この発明によれば、上方上枠部と下方上枠部との間を吊り束部材によって連結したため、上枠の変形を招来することなく、通気通路によって換気を行うことのできる上吊り引戸を構成することが可能となる。
【００１５】
また本発明は、上述した浴室用建具において、前記枠体は、前記上枠と下枠との間に上下方向に沿って方立枠を設けることにより、一方の縦枠と前記方立枠との間に固定面材によって閉塞される第１の開口を構成するとともに、他方の縦枠と前記方立枠との間に前記障子によって開閉される第２の開口を構成したものであり、前記下枠には、前記第２の開口において前記障子よりも前記浴室側となる部位の上面に前記下枠の上面に連続するようにカバー面材を配設したことを特徴とする。
【００１６】
この発明によれば、カバー面材によって下枠の上面を平坦化することにより、バリアフリーに適したものとなる。
【００１７】
また本発明は、上述した浴室用建具において、前記下枠には、前記第１の開口において前記固定面材よりも前記脱衣室側となる部位の上面に、前記カバー面材に連続する補助カバー面材を配設したことを特徴とする。
【００１８】
この発明によれば、カバー面材に連続する補助カバー面材を配設することにより、固定面材よりも脱衣室側に浸入した水を浴室に導くことができる。
【００１９】
また本発明は、上述した浴室用建具において、前記カバー面材の表面に多数の溝を設けたことを特徴とする。
【００２０】
この発明によれば、カバー面材に設けた溝により、滑り止め効果を期待することができる。また、浴室に向けて溝を形成すれば、カバー面材に掛かった水を浴室に排出することができる。
【００２１】
また本発明は、上述した浴室用建具において、前記枠体の下枠において前記脱衣室側となる部位の上面に長手方向に沿って溝状の収容凹部を形成するとともに、前記下枠の上面からの突出量が変化する状態で前記収容凹部に止水材を移動可能に配設したことを特徴とする。
【００２２】
この発明によれば、止水材の突出量を小さくすることで下枠上面を平坦化することができる一方、止水材の突出量を大きくすることで、例えば下枠の上面を掃除する際に水が脱衣室側に浸入する事態を防止することができる。
【発明の効果】
【００２３】
本発明によれば、上枠と浴室の天井パネルとの間を連結部材によって連結しているため、上枠に加えられる荷重を天井パネルで支持することが可能となる。従って、使用が長期にわたった場合にも、上枠に変形を来す等の強度上の問題を来すおそれがなくなる。しかも、連結部材を取り外す等、天井パネルとの間の連結状態を解除すれば、上枠を上方に移動させることが可能となるため、例えば障子の取り外しが容易となり、メインテナンス性を向上させることができる。
【図面の簡単な説明】
【００２４】
【図１】図１は、本発明の実施の形態である浴室用建具の第２の開口における縦断面図である。
【図２】図２は、図１に示した浴室用建具の第１の開口における縦断面図である。
【図３】図３は、図１に示した浴室用建具の横断面図である。
【図４】図４は、図１に示した浴室用建具に適用する下枠及びカバー面材、補助カバー面材の分解平面図である。
【図５】図５は、図１に示した浴室用建具の下枠部分を示したもので、（ａ）は止水材の突出量を最小とした状態の縦断面図、（ｂ）は止水材の突出量を増大させた状態の縦断面図である。
【発明を実施するための形態】
【００２５】
以下、添付図面を参照しながら本発明に係る浴室用建具の好適な実施の形態について詳細に説明する。
【００２６】
図１〜図３は、本発明の実施の形態である浴室用建具を示したものである。ここで例示する浴室用建具は、ホテルや介護施設等、水密性能に対する要求レベルが比較的低い建物の浴室と脱衣室との間の開口を設置対象とする上吊り式の片引きき戸である。図には明示していないが、浴室には、ユニットバスが設置してある。ユニットバスは、床面となる防水パンＢＰの周囲に側壁パネルＳＰを有し、側壁パネルＳＰの上端部間に天井パネルＴＰを有したもので、側壁パネルＳＰにおいて出入口となる部分にのみ開口Ｏを有している。図には明示していないが、ユニットバスの天井パネルＴＰには、蓋付きの点検口が設けてある。蓋を取り外して天井パネルＴＰの点検口を開放すれば、天井裏ＴＵＳに進入することが可能である。
【００２７】
浴室建具は、枠体１０を有している。枠体１０は、上枠１１、下枠１２及び左右の縦枠１３，１４を四周枠組みすることによって構成した矩形状の主枠部１０Ａと、上枠１１及び下枠１２の間に上下方向に沿って配設した方立枠１５とを備えたものである。本実施の形態では、上枠１１及び下枠１２の長手をほぼ二等分する位置に方立枠１５を配置し、主枠部１０Ａによって囲まれる開口を二分している。
【００２８】
二分した主枠部１０Ａの開口のうち、脱衣室から見て左側に配置される左開口（第２の開口）１０ＡＬは、脱衣室側に配置される障子２０によって開閉され、脱衣室から浴室への出入口となる部分である。脱衣室から見て右側に配置される右開口（第１の開口）１０ＡＲは、樹脂パネル等の固定面材３０によって閉塞される部分であり、見込み方向に沿った寸法が左開口１０ＡＬよりも小さく構成してある。すなわち、主枠部１０Ａの右開口１０ＡＲは、固定面材３０よりも脱衣室側となる部分にのみ上枠１１及び下枠１２が設けてあり、脱衣室から見て右側に位置する縦枠（以下、右縦枠１３という）との間に、障子２０を収納するための戸袋を構成している。図３からも明らかなように、脱衣室から見て左側に位置する縦枠（以下、左縦枠１４という）は、方立枠１５及び右縦枠１３に対して見込み方向に沿った寸法が大きく構成してある。右縦枠１３は、左縦枠１４に対して脱衣室に臨む見付け面１３ａ，１４ａが互いに合致するように設けてある。方立枠１５は、左縦枠１４に対して浴室に臨む見付け面１４ｂ，１５ｂが互いに合致するように設けてある。
【００２９】
障子２０は、透明樹脂やガラス等の透光性を有した矩形状を成すパネル２１と、パネル２１の四周に装着した上框２２、下框２３及び左右の縦框２４，２５とを備えて構成したものである。この障子２０は、脱衣室から見て右側に配置される縦框２４を方立枠１５に対して見込み方向に並設した場合に左開口１０ＡＬを閉じることのできる大きさに構成してある。本実施の形態では、上框２２と下框２３との間に中桟２６を備えた障子２０を適用している。
【００３０】
障子２０の上框２２には、複数箇所に走行体４０が設けてある。走行体４０は、支持軸４１と、支持軸４１の上端部に設けた本体４２と、本体４２の両側に設けた車輪４３とを備えたものである。この走行体４０は、図示せぬ車軸が上框２２の長手に直交する水平方向に沿った状態で支持軸４１を介して上框２２に取り付けてある。
【００３１】
障子２０の下框２３には、複数箇所にガイド部材５０が設けてある。ガイド部材５０は、ガイド本体５１と、ガイド本体５１に対して移動可能に配設したガイド突起５２と、ガイド本体５１に対してガイド突起５２を常時突出する方向に押圧するスプリング（図示せず）とを備えたもので、ガイド突起５２が下方に向いた状態でガイド本体５１を介して下框２３に取り付けてある。図１中の符号２７は、下框２３の両側縁部からそれぞれ下方に突出するように設けた止水ヒレ部材である。
【００３２】
上枠１１、下枠１２、左右の縦枠１３，１４及び方立枠１５は、アルミニウム合金等の金属によって成形した押し出し形材である。本実施の形態の場合、縦枠１３，１４については、長手方向の全長にわたってほぼ一様な断面形状を有するように構成してある。上枠１１及び下枠１２については、押し出し成形後に適宜加工を施すことにより、右開口１０ＡＲに位置する部分と左開口１０ＡＬに位置する部分とで断面形状が一部異なるように構成してある。
【００３３】
以下、枠体１０の詳細構成について詳述し、併せて本発明の特徴部分について詳述する。なお、本明細書で用いる用語「見込み方向」は、図中の矢印Ａで示すように、浴室用建具の奥行きに沿った方向である。見込み方向に沿った平面については、見込み面と称し、見込み方向に直交する平面については見付け面と称する場合がある。また、後述する見付け方向とは、上枠１１及び下枠１２あるいは上框２２や下框２３等の水平方向に沿って延在するものの場合、見込み方向に直交した上下に沿う方向であり、縦枠１３，１４や縦框２４，２５等の上下方向に沿って延在するものの場合、見込み方向に直交した水平に沿う方向である。枠や框の長手方向とは、それぞれを押し出し成形する場合の押し出し方向に一致する。例えば方立枠１５の場合には、図１中の矢印Ｂで示すように、上下に沿った方向が長手方向となる。
【００３４】
上枠１１は、図１及び図２に示すように、互いに独立した上方上枠部１１１と下方上枠部１１２とを備え、それぞれの両端部を縦枠１３，１４に連結したものである。上方上枠部１１１において右開口１０ＡＲに位置する部分は、上方枠基部１１１Ａ、上方カバーヒレ部１１１Ｂ及び上方面材保持部１１１Ｃを有している。上方枠基部１１１Ａは、見込み方向に沿ってほぼ水平に延在した部分である。上方枠基部１１１Ａの下面には、見込み方向のほぼ中間となる位置にポケット１１１Ａ１が設けてある。ポケット１１１Ａ１は、上方枠基部１１１Ａの長手に沿って形成したもので、その内部に連結支持ヒレ部材１１３の基端部を収容している。連結支持ヒレ部材１１３は、上方枠基部１１１Ａのポケット１１１Ａ１から鉛直下方に向けて垂下した薄板状部材であり、下端縁部にフック受部１１３ａを有している。上方カバーヒレ部１１１Ｂは、上方枠基部１１１Ａから下方に向けて延在した部分であり、上方枠基部１１１Ａと一体に成形してある。上方カバーヒレ部１１１Ｂにおいて脱衣室に臨む面の下縁部には、連結用突条１１１Ｂ１が設けてある。上方面材保持部１１１Ｃは、上壁部１１１Ｃ１及び内外の側壁部１１１Ｃ２，１１１Ｃ３によって下方に開口するように構成したものである。上方面材保持部１１１Ｃは、上方カバーヒレ部１１１Ｂよりも浴室側となる部分に上方カバーヒレ部１１１Ｂと一体に設けてある。この上方面材保持部１１１Ｃには、固定面材３０の上縁部が収容した状態で保持してある。
【００３５】
上方上枠部１１１において左開口１０ＡＬに位置する部分は、上方枠基部１１１Ａ、連結ヒレ部１１１Ｄ、見付けカバー部１１１Ｅ及び縦枠保持ヒレ部１１１Ｆを有している。上方枠基部１１１Ａは、右開口１０ＡＲに位置する部分の上方枠基部１１１Ａから連続するように設けたものである。上方枠基部１１１Ａにおいて見込み方向のほぼ中間となる位置には、上方枠基部１１１Ａと同様、ポケット１１１Ａ１が設けてある。上方枠基部１１１Ａのポケット１１１Ａ１には、換気制御弁１６が基部を介して回転可能に収容してある。連結ヒレ部１１１Ｄは、上方枠基部１１１Ａの上面においてポケット１１１Ａ１に対応する部分から鉛直上方に延在した後、浴室側に向けてほぼ直角に屈曲したもので、上方枠基部１１１Ａと一体に設けてある。見付けカバー部１１１Ｅは、上方枠基部１１１Ａから浴室に向けて漸次下方に湾曲した後、下方に向けてほぼ鉛直に延在したものである。この見付けカバー部１１１Ｅは、後述する下方上枠部１１２の下端を超えた位置まで延在している。縦枠保持ヒレ部１１１Ｆは、見付けカバー部１１１Ｅの湾曲部から浴室に向けてほぼ水平に延在した後、鉛直方向に沿って上方に湾曲したものである。なお、本実施の形態では、見付けカバー部１１１Ｅ及び縦枠保持ヒレ部１１１Ｆが上方枠基部１１１Ａとは別体に成形してあり、互いに係合することによって上方上枠部１１１を構成している。
【００３６】
下方上枠部１１２は、全長にわたってほぼ一様な横断面形状を有するもので、下方枠基部１１２Ａ及び上枠連結片１１２Ｂを有して構成してある。下方枠基部１１２Ａは、上述した走行体４０を収容することにより、障子２０を上吊り式に移動可能に支持するためのものである。本実施の形態では、上面壁１１２Ａ１、下面壁１１２Ａ２、浴室面壁１１２Ａ３及び脱衣室面壁１１２Ａ４によって囲まれた略角筒状を成す下方枠基部１１２Ａを例示している。下面壁１１２Ａ２には、長手方向に沿って一連のガイド溝１１２Ａ５が設けてある。このガイド溝１１２Ａ５は、走行体４０の支持軸４１を挿通可能、かつ車輪４３を備えた本体４２を挿通不可とする幅に形成してある。図からも明らかなように、上面壁１１２Ａ１は、見込み方向のほぼ中央となる部分が下方に向けて略直角に屈曲し、その後、浴室側に向けてほぼ水平に延在することにより浴室側となる部分が一段低くなっている。上面壁１１２Ａ１において略直角に屈曲した部分の上縁部には、浴室に向けてフック片１１２Ａ６が設けてある。フック片１１２Ａ６は、上方上枠部１１１に設けた連結支持ヒレ部材１１３のフック受部１１３ａに係合する部分である。上枠連結片１１２Ｂは、下方枠基部１１２Ａにおいて浴室側の上縁部から浴室に向けて延在した平板状部分であり、漸次下方に傾斜している。上枠連結片１１２Ｂの延在端部には、上方カバーヒレ部１１１Ｂの連結用突条１１１Ｂ１に係合する連結用係合溝１１２Ｂ１が設けてある。
【００３７】
上述の上方上枠部１１１及び下方上枠部１１２は、下方枠基部１１２Ａの上面壁１１２Ａ１と上方上枠部１１１の上方枠基部１１１Ａとの間に隙間を確保した状態で縦枠１３，１４の上端部間に取り付けてある。上方上枠部１１１の上方枠基部１１１Ａにおいて脱衣室側に位置する縁部は、躯体ＭＢに取り付けた額縁ＧＢの下面にネジ止めするようにしている。
【００３８】
図１からも明らかなように、左開口１０ＡＬにおいては、下方上枠部１１２と上方上枠部１１１との間に、浴室と脱衣室との間を連通する通気通路ＥＣが確保してある。この通気通路ＥＣは、図１中の二点鎖線で示すように、上方上枠部１１１のポケット１１１Ａ１から換気制御弁１６が自重によって垂下した場合に換気制御弁１６の先端部がフック片１１２Ａ６に当接することにより閉塞されることになる。一方、換気扇（図示せず）を駆動する等して浴室の圧力が脱衣室よりも小さくなると、図１中の実線で示すように、圧力差によって換気制御弁１６が上方に向けて回転する。この結果、通気通路ＥＣが開放されることになり、脱衣室の空気が浴室に流入して換気を行うことができる。
【００３９】
上面壁１１２Ａ１と上方枠基部１１１Ａとの間の適宜箇所には、互いの間を連結するように吊り束部材１７が設けてある。吊り束部材１７は、上面壁１１２Ａ１と上方枠基部１１１Ａとの間に円筒状を成す束本体１７Ａを介在させた状態で、ガイド溝１１２Ａ５を介して上面壁１１２Ａ１から上方枠基部１１１Ａに連結ネジ１７Ｂを螺合することによって構成したものである。さらに、上方上枠部１１１の連結ヒレ部１１１Ｄには、ユニットバスの天井パネルＴＰとの間を連結する連結金具（連結部材）１８が設けられている。連結金具１８は、上枠連結板部１８ａと天井連結板部１８ｂとの間を鉛直板部１８ｃによって連結したもので、ステンレスや鋼材等のように、アルミニウム合金よりも剛性の高い材質によって成形してある。この連結金具１８は、上方上枠部１１１と連結ヒレ部１１１Ｄの上枠連結板部１８ａとの間、天井パネルＴＰと天井連結板部１８ｂとの間がそれぞれ上方からネジＳを螺合することによって互いに連結してある。ネジＳを螺合する場合には、上述したように、点検口（図示せず）を開放して天井裏ＴＵＳに進入すれば良い。
【００４０】
これに対して、右開口１０ＡＲにおいては、図２に示すように、連結支持ヒレ部材１１３のフック受部１１３ａにフック片１１２Ａ６を係合させるとともに、上方カバーヒレ部１１１Ｂの連結用突条１１１Ｂ１を上枠連結片１１２Ｂの連結用係合溝１１２Ｂ１に係合させることにより、通気通路ＥＣを閉塞した状態で下方上枠部１１２と上方上枠部１１１との間が直接連結してある。
【００４１】
上記のように構成した上枠１１では、左開口１０ＡＬにおいて上方上枠部１１１と下方上枠部１１２との間に通気通路ＥＣが確保されるため、障子２０にルーバー等の通気部材を設けることなく浴室換気を行うことができる。しかも、上方上枠部１１１と下方上枠部１１２との間を複数の吊り束部材１７によって互いに連結するとともに、上方上枠部１１１とユニットバスの天井パネルＴＰとの間を連結金具１８によって互いに連結している。さらには、右開口１０ＡＲにおいては、連結支持ヒレ部材１１３のフック受部１１３ａにフック片１１２Ａ６を係合させるとともに、上方カバーヒレ部１１１Ｂの連結用突条１１１Ｂ１を上枠連結片１１２Ｂの連結用係合溝１１２Ｂ１に係合させることにより、通気通路ＥＣを閉塞した状態で下方上枠部１１２と上方上枠部１１１との間を直接連結するようにしている。従って、下方上枠部１１２の下方枠基部１１２Ａに障子２０の走行体４０を支持させることによって上吊り式の引き戸を構成した場合にも、下方上枠部１１２に加えられる荷重を天井パネルＴＰによって支持することが可能となる。これにより、使用が長期にわたった場合にも、上枠１１に変形を来す等の強度上の問題を来すおそれがなくなる。しかも、連結金具１８を取り外す等、天井パネルＴＰとの間の連結状態を解除し、さらに額縁ＧＢとの間のネジを弛緩させれば、上枠１１を上方に移動させることが可能となる。従って、上枠１１とともに障子２０を上方に移動させることが可能となり、障子２０の取り外し作業が容易になる等、メインテナンス性を向上させることができる。
【００４２】
一方、浴室用建具の下枠１２は、図１に示すように、左開口１０ＡＬに位置する部分に下枠基部１２ａ、浴室側ヒレ部１２ｂ及び脱衣室側ヒレ部１２ｃを有している。下枠基部１２ａは、上部壁１２ａ１、下部壁１２ａ２、浴室部壁１２ａ３及び脱衣室部壁１２ａ４によって囲まれた略角筒状を成すものである。上部壁１２ａ１の上面において障子２０のガイド突起５２に対向する部位には、ガイド凹部１２ａ５が設けてある。ガイド凹部１２ａ５は、下枠基部１２ａの長手に沿って延在する溝状の凹部である。このガイド凹部１２ａ５は、障子２０のガイド突起５２が位置した場合に障子２０を長手方向に沿って案内し、障子２０が浴室側や脱衣室側に移動するのを規制するように機能するものである。浴室側ヒレ部１２ｂは、下枠基部１２ａの浴室部壁１２ａ３から浴室に向けてほぼ水平に延在した部分である。浴室側ヒレ部１２ｂの上面は、下枠基部１２ａの上面よりも一段下がった位置となるように設けてある。浴室側ヒレ部１２ｂの延在端部は、下方に向けて屈曲しており、ユニットバスの防水パンＢＰに設けた凹溝ＢＰＯに収容してある。脱衣室側ヒレ部１２ｃは、下枠基部１２ａの上部壁１２ａ１から脱衣室に向けてほぼ水平に延在した部分である。この脱衣室側ヒレ部１２ｃには、収容凹部１２ｄが設けてある。収容凹部１２ｄは、ガイド凹部１２ａ５よりも深さの大きい溝状の凹部であり、下枠１２の長手方向に沿って形成してある。
【００４３】
これに対して、下枠１２において右開口１０ＡＲに位置する部分は、下枠基部１２ａ、浴室側ヒレ部１２ｂ、下方カバーヒレ部１２ｅ、下方面材保持部１２ｆ及び脱衣室側ヒレ部１２ｃを有している。下枠基部１２ａ及び脱衣室側ヒレ部１２ｃは、左開口１０ＡＬに位置する部分から連続するように設けてあり、それぞれが同一の断面形状を有している。浴室側ヒレ部１２ｂは、左開口１０ＡＬに位置する部分の浴室側ヒレ部１２ｂと同様、下枠基部１２ａの浴室部壁１２ａ３から浴室に向けてほぼ水平に延在した部分であり、上枠１１の上方カバーヒレ部１１１Ｂに対応する部位において終端している。下方カバーヒレ部１２ｅは、浴室側ヒレ部１２ｂの延在端部から鉛直上方に向けて延在した部分である。下方面材保持部１２ｆは、上方面材保持部１１１Ｃと同様、下壁部１２ｆ１及び内外の側壁部１２ｆ２，１２ｆ３によって上方に開口するように構成したもので、下方カバーヒレ部１２ｅよりも浴室側となる部分に下方カバーヒレ部１２ｅと一体に設けてある。この下方面材保持部１２ｆには、固定面材３０の下縁部が収容した状態で保持してある。なお、図３に示すように、固定面材３０の両側縁部は、右縦枠１３及び方立枠１５に設けた面材支持ヒレ部１３ｃ，１５ｃと、押縁３１との間に収容した状態で保持されている。
【００４４】
上記の構成を有する下枠１２には、図３及び図４に示すように、浴室側ヒレ部１２ｂの上面において左開口１０ＡＬに位置する部分にカバー面材６０Ａが配設してあるとともに、右開口１０ＡＲに位置する部分に補助カバー面材６０Ｂが配設してある。カバー面材６０Ａ及び補助カバー面材６０Ｂは、ゴムや樹脂によって一体に成形した板状部材である。図には明示していないが、カバー面材６０Ａ及び補助カバー面材６０Ｂの表面には、多数の溝６１が設けてある。溝６１は、カバー面材６０Ａにおいて浴室側の縁部のみ周囲に開口したものである。図１及び図２に示すように、カバー面材６０Ａ及び補助カバー面材６０Ｂは、下枠基部１２ａの上面と浴室側ヒレ部１２ｂの上面との段差に対向する板厚を有しており、個々の上面が下枠基部１２ａの上面に合致した高さとなっている。さらに、下枠１２の収容凹部１２ｄには、図５の（ａ）及び図５の（ｂ）に示すように、下枠１２の上面からの突出量が変化する状態で止水材７０が移動可能に配設してある。収容凹部１２ｄの内表面には、止水材７０を挟持する突起１２ｄ１が多数設けてある。
【００４５】
上述のように構成した浴室用建具によれば、浴室側ヒレ部１２ｂと下枠基部１２ａとの段差によって浴室側の水が脱衣室に漏出するのを防止することができる。しかも、図５の（ａ）に示すように、止水材７０の突出量を最小とすれば、浴室側ヒレ部１２ｂに配設したカバー面材６０Ａによって下枠１２の上面が平坦化されることになり、バリアフリーに適したものとなる。さらに、カバー面材６０Ａの表面に多数の溝６１を設けているため、浴室に出入りする際の滑り止めとしても機能することになる。加えて、カバー面材６０Ａにおいて浴室側の縁部のみ周囲に開口するように溝６１を設けているため、カバー面材６０Ａの上面に掛かった水を浴室に排出することができる。また、固定面材３０よりも脱衣室側となる部分に補助カバー面材６０Ｂを設けるようにしているため、障子２０を戸袋に引き込む際に戸袋に水が浸入した場合にもこれを浴室に排出することができるようになる。
【００４６】
一方、図５の（ｂ）に示すように、止水材７０の突出量を大きくした状態に維持すれば、止水材７０が防潮堤となって機能するため、例えばシャワーによって下枠１２の上面を掃除した場合にも、脱衣室側への漏水を防止することができる。
【００４７】
なお、上述した実施の形態では、上枠１１に通気通路ＥＣを設けるようにしているが、必ずしも通気通路ＥＣを設ける必要はない。また、上述した実施の形態では、連結金具１８を上枠１１に直接連結するようにしているが、例えば吊り束部材１７の連結ネジ１７Ｂ等のように、上枠１１に固定された部位に連結金具１８を連結するようにしても良い。またさらに、連結部材として金属によって成形したものを例示しているが、必ずしも金属である必要はない。
【符号の説明】
【００４８】
１０  枠体、１０ＡＬ  左開口、１０ＡＲ  右開口、１１  上枠、１２  下枠、１２ｄ  収容凹部、１３  右縦枠、１４  左縦枠、１５  方立枠、１７  吊り束部材、１８  連結金具、２０  障子、３０  固定面材、４０  走行体、６０Ａ  カバー面材、６０Ｂ  補助カバー面材、６１  溝、７０  止水材、１１１  上方上枠部、１１２  下方上枠部、ＥＣ  通気通路、ＴＰ  天井パネル
【図１】
0006622084.tif 000002
【図２】
0006622084.tif 000003
【図３】
0006622084.tif 000004
【図４】
0006622084.tif 000005
【図５】
0006622084.tif 000006